(57)【特許請求の範囲】
【請求項１】
センサと、
撮像部を有し、前記センサと対応付けられたカメラと、
前記カメラとＤＥＣＴの通信方式を用いて無線接続し、固定電話網に接続されて他固定電話機と接続し、かつ前記ＤＥＣＴの通信方式を用いてコードレス子機と接続する親機と、を備え、
前記親機は、前記センサから検出通知を受けると、無線ルータを介して前記親機と接続するとともに携帯電話網を介して他携帯電話機と接続する携帯電話端末に、前記無線ルータを介して前記検出通知に関する情報を転送し、前記センサと対応付けられた前記カメラに画像転送要求を送信し、
前記カメラは、前記親機からの画像転送要求に対して前記撮像部で得た動画の映像データを前記親機に送信し、
前記親機は、前記カメラからの動画の映像データを、前記無線ルータを介して前記携帯電話端末に送信して前記動画の映像データを前記携帯電話端末に表示させる、
監視システム。
【請求項２】
請求項１に記載の監視システムであって、
前記親機は、前記動画の映像データを前記携帯電話端末に転送している時に、前記携帯電話端末から静止画への表示切替指示を受けると、前記動画の映像データから静止画の画像データを生成し、前記携帯電話端末に送信する、
監視システム。
【請求項３】
請求項２に記載の監視システムであって、
前記親機は、前記静止画の画像データを前記携帯電話端末に表示させた後、前記携帯電話端末から動画への表示切替指示を受けると、前記動画の映像データを前記携帯電話端末に送信する、
監視システム。
【請求項４】
センサと、
撮像部を有し、前記センサと対応付けられたカメラと、
前記カメラとＤＥＣＴの通信方式を用いて無線接続し、固定電話網に接続されて他固定電話機と接続し、前記ＤＥＣＴの通信方式を用いてコードレス子機と接続する親機と、を備えた監視システムにおける監視方法であって、
前記親機は、前記センサから検出通知を受けると、無線ルータを介して前記親機と接続するとともに携帯電話網を介して他携帯電話機と接続する携帯電話端末に、前記無線ルータを介して前記検出通知に関する情報を転送し、前記センサと対応付けられた前記カメラに画像転送要求を送信し、
前記カメラは、前記親機からの画像転送要求に対して前記撮像部で得た動画の映像データを前記親機に送信し、
前記親機は、前記カメラからの動画の映像データを、前記無線ルータを介して前記携帯電話端末に送信して前記動画の映像データを前記携帯電話端末に表示させる、
監視システムにおける監視方法。
【発明の詳細な説明】
【技術分野】
【０００１】
本発明は、携帯電話端末とカメラとの間でデータの入出力を行う監視システム及び監視システムにおける監視方法に関する。
【背景技術】
【０００２】
従来、携帯電話端末とカメラとの間でデータの入出力を行う監視システムの一例として、遠隔地からも容易に遠隔監視し、映像及び音声の双方向通信によって監視対象を監視する監視カメラシステムが知られている（例えば特許文献１参照）。
【０００３】
特許文献１に示す監視システムは、所定の住宅敷地内（構内）の宅内分電盤に設置された監視サーバであるコントローラと、玄関門扉に設置されたインターフォン子機である第１カメラユニットと、ダイニングルームに設置された第２カメラユニットと、ベッドルームに設置された第３カメラユニットと、リビングルームに設置されたインターフォン親機である室内ユニットと、１つ以上の遠隔地にある携帯電話機とを含む構成である。例えば住人の外出時には、コントローラは、各カメラユニットが侵入者を検出する度に、侵入者を捕捉するように撮像及び収音した映像信号及び音声信号を切り替えて携帯電話機に転送する。
【先行技術文献】
【特許文献】
【０００４】
【特許文献１】特開２００７−３２３５３３号公報
【発明の概要】
【発明が解決しようとする課題】
【０００５】
しかし、上述した特許文献１の構成では、侵入者の動き及び音を捕捉するように各カメラユニットからの映像信号及び音声信号を適宜切り替えて携帯電話機に転送するので、コントローラの構成が複雑となり、費用のコストアップが避けられず、コントローラを含む監視システムの導入を安価に行うことが困難であった。
【０００６】
本発明は、従来の問題を解決するために、固定電話網に接続されて他の固定電話機と接続する既存の固定電話機を用いて、携帯電話端末とカメラとのデータの入出力を、ユーザの利便性を損なうことなく安価に実現する監視システム及び監視システムにおける監視方法を提供することを目的とする。
【課題を解決するための手段】
【０００７】
本発明は、センサと、撮像部を有し、前記センサと対応付けられたカメラと、前記カメラとＤＥＣＴの通信方式を用いて無線接続し、固定電話網に接続されて他固定電話機と接続し、かつ前記ＤＥＣＴの通信方式を用いてコードレス子機と接続する親機と、を備え、前記親機は、前記センサから検出通知を受けると、無線ルータを介して前記親機と接続するとともに携帯電話網を介して他携帯電話機と接続する携帯電話端末に、前記無線ルータを介して前記検出通知に関する情報を転送し、前記センサと対応付けられた前記カメラに画像転送要求を送信し、前記カメラは、前記親機からの画像転送要求に対して前記撮像部で得た動画の映像データを前記親機に送信し、前記親機は、前記カメラからの動画の映像データを、前記無線ルータを介して前記携帯電話端末に送信して前記動画の映像データを前記携帯電話端末に表示させる、監視システムである。また、本発明は、センサと、撮像部を有し、前記センサと対応付けられたカメラと、前記カメラとＤＥＣＴの通信方式を用いて無線接続し、固定電話網に接続されて他固定電話機と接続し、前記ＤＥＣＴの通信方式を用いてコードレス子機と接続する親機と、を備えた監視システムにおける監視方法であって、前記親機は、前記センサから検出通知を受けると、無線ルータを介して前記親機と接続するとともに携帯電話網を介して他携帯電話機と接続する携帯電話端末に、前記無線ルータを介して前記検出通知に関する情報を転送し、前記センサと対応付けられた前記カメラに画像転送要求を送信し、前記カメラは、前記親機からの画像転送要求に対して前記撮像部で得た動画の映像データを前記親機に送信し、前記親機は、前記カメラからの動画の映像データを、前記無線ルータを介して前記携帯電話端末に送信して前記動画の映像データを前記携帯電話端末に表示させる、監視システムにおける監視方法である。
【発明の効果】
【０００８】
本発明によれば、固定電話網に接続されて他の固定電話機と通話可能な既存の固定電話機を用いて、携帯電話端末とカメラとのデータの入出力を、ユーザの利便性を損なうことなく安価に実現することができる。
【図面の簡単な説明】
【０００９】
【図１】本実施形態の監視カメラシステムのシステム構成の一例を示す図
【図２】親機の内部構成の一例を示すブロック図
【図３】コードレス子機の内部構成の一例を示すブロック図
【図４】カメラの内部構成の一例を示すブロック図
【図５】センサの内部構成の一例を示すブロック図
【図６】スマートフォンの内部構成の一例を示すブロック図
【図７】スマートフォンの表示／操作部に表示される検出情報画面の例を示す図
【図８】（Ａ）、（Ｂ）ホームセキュリティアプリケーションのモニタ画面の例を示す図
【図９】監視カメラシステムの動作手順の例を示すシーケンス図
【発明を実施するための形態】
【００１０】
以下、本発明に係る監視システムを具体的に開示した実施形態（以下、「本実施形態」という）について、図面を参照しながら説明する。以下の本実施形態では、本発明に係る監視システムの一例として、ホームセキュリティに用いられる監視カメラシステムを例示して説明する。なお、なお、本発明は、監視カメラシステムに限定されず、監視カメラシステムを構成する各装置又は各装置における方法、プログラムとして表現することも可能である。
【００１１】
本実施形態の監視カメラシステムは、センサと、撮像部を有し、通話機能を備えたカメラと、カメラと通信可能であり、固定電話網に接続されて他固定電話機と通話可能な親機と、表示入力部を有し、親機との間で無線ルータを用いて無線通信可能であり、携帯電話網を介して他携帯電話機と接続する携帯電話端末と、を備え、親機は、センサからセンサ検出情報を受けると、携帯電話端末にセンサ検出情報を転送し、センサと対応付けられたカメラに画像転送要求を送信し、カメラは、親機からの画像転送要求に対して撮像部で得た動画の映像データを親機に送信し、親機は、最初にカメラからの動画の映像データを携帯電話端末に送信し、携帯電話端末は、親機から送信された動画のモニタ画面を表示入力部に表示する。
【００１２】
図１は、本実施形態の監視カメラシステム５のシステム構成の一例を示す図である。監視カメラシステム５は、主に宅内８に設置されており、親機１０と、２台のコードレス子機（以下、単に「子機」ともいう）２０Ａ，２０Ｂと、複数台のカメラ（屋内カメラ３０Ａ，監視カメラ３０Ｂ，…）と、各種センサ（具体的には、人感センサ４０Ａ，４０Ｂ，煙センサ４０Ｃ，開閉センサ４０Ｄ）と、スマートフォン５０と、無線ルータ６０とを含む構成である。なお、この監視カメラシステム５の構成は一例であり、種々の態様に変更可能である。
【００１３】
親機１０は、監視カメラシステム５におけるゲートウェアとしての機能を有する。親機１０は、監視カメラシステム５の全体の動作を制御する制御装置であり、ＤＥＣＴ（Digital Enhanced Cordless Telecommunications）の通信方式を用いて、子機、カメラ、センサ等と通信可能に接続される。また、親機１０は、無線ＬＡＮを用いた無線ルータ６０を介してインターネット６５（ネットワーク）に接続される。また、親機１０は、有線で固定電話網８５に接続され、固定電話機８０と通話可能である。また、親機１０は、差込口１０ａに挿入された子機２０Ａを充電する機能を有する。
【００１４】
子機２０Ａ，２０Ｂは、ＤＥＣＴの通信方式を用いて親機１０と接続され、親機１０と通話可能である。以下、特に２台の子機２０Ａ，２０Ｂを区別する必要が無い場合、子機２０と総称する。
【００１５】
各種センサ４０（具体的には、人感センサ４０Ａ，４０Ｂ，煙センサ４０Ｃ，開閉センサ４０Ｄ，…）は、ＤＥＣＴの通信方式を用いて親機１０と接続される。ここでは、センサとして、窓の開閉を検出する開閉センサ４０Ｄ、煙を感知する煙センサ４０Ｃ、及び赤外線によって人を感知する人感センサ４０Ａ，４０Ｂが用いられる。以下、特にこれらのセンサの種類を区別する必要が無い場合、センサ４０と総称する。また、後述するように、カメラ３０に内蔵された赤外線センサ３１３（図４参照）も、人感センサとして用いられる。
【００１６】
複数台のカメラ（例えば屋内カメラ３０Ａ，監視カメラ３０Ｂ，…）は、通話機能を有し、ＤＥＣＴの通信方式を用いて親機１０と接続される。ここでは、カメラとして、屋外を撮像する監視カメラ３０Ｂ、及び宅内８を撮像する屋内カメラ３０Ａが用いられる。以下、特にカメラの種類を区別する必要が無い場合、カメラ３０と総称する。
【００１７】
スマートフォン５０は、携帯電話端末の一例として設けられる。スマートフォン５０は、無線ＬＡＮを用いた無線ルータ６０を介して親機１０と接続され、また、３Ｇ（第３世代））、ＨＳＰＡ（High Speed Packet Access）若しくはＬＴＥ（Long Term Evolution）等の通信方式を用いた携帯電話網７５を介して携帯電話機７０や他のスマートフォン等と接続される。
【００１８】
図２は、親機１０の内部構成の一例を示すブロック図である。親機１０は、制御部１０９と、記憶部１０３と、操作部１０５と、表示部１０６とを含む構成である。親機１０は、各種の入力操作を受け付け、表示部１０６に画像等の情報を表示する。制御部１０９は、呼制御部１１０及び音声ストリーム処理部１１２を内蔵し、通話の呼制御や音声データの処理等を行う。
【００１９】
また、親機１０は、画像メモリ制御部１１５と、画像メモリ１１６とを有し、カメラ３０で撮像された画像データ等を画像メモリ１１６に記憶する。
【００２０】
また、親機１０は、無線ＬＡＮ制御部１２１と、無線ＬＡＮ通信Ｉ／Ｆ部１２２とを有し、無線ＬＡＮで接続された無線ルータ６０を介してスマートフォン５０、カメラ３０等との間で画像データ及び音声データを送受信する。
【００２１】
また、親機１０は、ＤＥＣＴプロトコル制御部１０８と、ＤＥＣＴ無線Ｉ／Ｆ部１０７とを有し、ＤＥＣＴの通信方式を用いて、子機２０、センサ４０及びカメラ３０と無線接続を行う。
【００２２】
また、親機１０は、音声バス１１７と、音声入出力制御部１０４と、スピーカ（ＳＰＫ）１２９と、マイク（ＭＩＣ）１２８とを有し、外部に対して音声の入出力を行う。
【００２３】
また、親機１０は、固定電話回線Ｉ／Ｆ部１０１を有し、固定電話網８５に接続された外部の固定電話機８０と通話可能である。
【００２４】
また、親機１０は、子機／携帯端末充電部１２６を有し、差込口１０ａに挿入された子機２０あるいはスマートフォン５０を充電する。
【００２５】
また、親機１０は、ＵＳＢ通信Ｉ／Ｆ部１２７を有し、ＵＳＢ（Universal Serial Bus）規格のインタフェースを有する機器やメモリ等とデータを送受信する。
【００２６】
また、親機１０は、各種センサ４０と複数のカメラ３０とのペアをそれぞれ関連付けて記憶部１０３に登録する。例えば、人感センサ４０Ｂと監視カメラ３０Ｂとは、屋外の近接した場所に設置されているので、関連付けて登録される。また、監視カメラ３０Ｂは、後述するように、人感センサである赤外線センサ３１３（図４参照）を一体として内蔵するので、この赤外線センサ３１３とも関連付けて登録される。また、人感センサ４０Ａと、煙センサ４０Ｃと、開閉センサ４０Ｄとは、いずれも宅内８に設置されているので、屋内カメラ３０Ａとそれぞれ関連付けて登録される。
【００２７】
図３は、（コードレス）子機２０の内部構成の一例を示すブロック図である。子機２０は、制御部２４７と、記憶部２４２と、操作部２４４と、表示部２４５とを含む構成である。子機２０は、各種の入力操作を受け付け、表示部２４５に画像等の情報を表示する。
【００２８】
また、子機２０は、ＤＥＣＴプロトコル制御部２４９と、ＤＥＣＴ無線Ｉ／Ｆ部２４８とを有し、ＤＥＣＴの通信方式を用いて親機１０、センサ４０及びカメラ３０と無線接続を行う。
【００２９】
また、子機２０は、音声バス２５５と、音声入出力制御部２４３と、スピーカ（ＳＰＫ）２５２と、マイク（ＭＩＣ）２５１とを有し、外部に対して音声の入出力を行う。
【００３０】
また、子機２０は、充電可能な２次電池２５０を有し、コードレス子機として使用する場合には、２次電池２５０から供給された電力を子機２０の各部において供給して動作する。
【００３１】
図４は、カメラ３０の内部構成の一例を示すブロック図である。カメラ３０の一例としての屋内カメラ３０Ａ及び監視カメラ３０Ｂは、いずれもほぼ同じ構成を有する。カメラ３０は、制御部３０９と、記憶部３０３と、操作部３０５とを含む構成である。カメラ３０は、撮像に関する動作を行うとともに、入力操作を受け付ける。
【００３２】
また、カメラ３０は、ＤＥＣＴプロトコル制御部３１７と、ＤＥＣＴ無線Ｉ／Ｆ部３１８とを有し、ＤＥＣＴの通信方式を用いて親機１０と無線接続を行う。
【００３３】
また、カメラ３０は、無線ＬＡＮ制御部３２１と、無線ＬＡＮ通信Ｉ／Ｆ部３２２とを有し、無線ＬＡＮで接続された無線ルータ６０を介して親機１０、スマートフォン５０等との間で画像データ及び音声データを送受信する。
【００３４】
また、カメラ３０は、音声バス３０７と、音声入出力制御部３０４と、スピーカ（ＳＰＫ）３２９と、マイク（ＭＩＣ）３２８とを有し、外部に対して音声の入出力を行う。
【００３５】
また、カメラ３０は、撮像部３１２と、画像メモリ制御部３１６と、画像メモリ３１５とを有し、撮像部３１２で撮像された画像データを画像メモリ３１５に記憶する。撮像部３１２は、周知の撮像機構を有し、例えばレンズ及び撮像素子（例えば、ＣＣＤ（Charged Coupled Device）、又はＣＭＯＳ（Complementary Metal Oxide Semiconductor）等のイメージセンサ）を有する。
【００３６】
また、カメラ３０は、人感センサとして、ＰＩＲ（Passive Infra Red）センサである赤外線センサ３１３を一体に内蔵する。赤外線センサ３１３は、人が発する熱（赤外線）の変化を検出して人の存在を感知する。カメラ３０は、商用交流を電源とする電源部３１４を有し、電源部３１４から供給された電力をカメラ３０の各部において供給して動作する。
【００３７】
図５は、センサ４０の内部構成の一例を示すブロック図である。センサ４０は、制御部４４７と、記憶部４４２と、表示ランプ４４５と、センサ部４５３とを含む構成である。センサ４０は、センサ部４５３により対象（例えば侵入者。以下同様。）を検出した場合に、表示ランプ４４５を点灯する等、所定の検出動作を行う。
【００３８】
また、センサ４０は、ＤＥＣＴプロトコル制御部４４９と、ＤＥＣＴ無線Ｉ／Ｆ部４４８とを有し、ＤＥＣＴの通信方式を用いて親機１０と無線接続を行い、対象を検出すると、センサ検出情報を親機１０に送る。
【００３９】
センサ部４５３は、センサ４０の種類によって異なる。例えば、人感センサ４０Ａ，４０Ｂの場合、センサ部４５３は、赤外線の変化によって人を感知するＰＩＲセンサである。玄関若しくは窓等の開閉を検出する開閉センサ４０Ｄの場合、センサ部４５３は、開閉によってオン／オフに切り替わるリードスイッチである。煙センサ４０Ｃの場合、センサ部４５３は、発光した光が煙によって遮光されることで煙を感知する発光・受光部である。また、センサ部４５３は、周囲の温度を検出可能な温度センサでもよい。
【００４０】
センサ４０は、充電可能な充電池４５０を有し、充電池４５０から供給された電力をセンサ４０の各部において供給して動作する。
【００４１】
図６は、スマートフォン５０の内部構成の一例を示すブロック図である。携帯電話端末の一例としてのスマートフォン５０は、制御部５０６と、記憶部５０４と、表示／操作部（例えばタッチパネル）５０３とを含む構成である。スマートフォン５０は、各種の入力操作を受け付け、表示／操作部５０３に画像等の情報を表示する。制御部５０６は、プロセッサを有し、所定のプログラムをプロセッサによって実行することにより所定の機能を実現するものである。制御部５０６は、カメラ３０の機能など、監視カメラシステム５の動作時の各種機能を設定可能な監視機能制御部５１４を内蔵する。
【００４２】
スマートフォン５０は、監視機能制御部５１４を実現するためのプログラムとして、ホームセキュリティ用のアプリケーション（以下、「ホームセキュリティアプリケーション」と称する）がインストールされ、記憶部５０４に保持される。タッチパネル等により構成される表示／操作部５０３は、表示部及び操作部が一体化された表示入力部として機能するものであり、画面に画像やアイコン等の情報を表示するとともに、スマートフォン５０のユーザ（以下、単に「ユーザ」という）による画面へタップ操作（又はタッチ操作）を受け付ける。
【００４３】
また、スマートフォン５０は、３Ｇプロトコル制御部５０２と、３Ｇ無線Ｉ／Ｆ部５０１とを有し、３Ｇ（第３世代）の無線通信方式を用いて、携帯電話網７５に接続された携帯電話機７０や他のスマートフォンと無線接続を行う。なお、スマートフォン５０は、３Ｇ以外の無線通信方式（例えばＨＳＰＡやＬＴＥ）に対応したプロトコル制御部及び無線Ｉ／Ｆ部を有してもよい。
【００４４】
また、スマートフォン５０は、音声バス５１５と、音声入出力制御部５０５と、スピーカ（ＳＰＫ）５１３と、マイク（ＭＩＣ）５１２とを有し、外部に対して音声の入出力を行う。
【００４５】
また、スマートフォン５０は、無線ＬＡＮ制御部５０７と、無線ＬＡＮ通信Ｉ／Ｆ部５０８とを有し、無線ＬＡＮで接続された無線ルータ６０を介して、親機１０、カメラ３０等と画像データ及び音声データを送受信する。
【００４６】
また、スマートフォン５０は、ＵＳＢ通信Ｉ／Ｆ部５１１を有し、ＵＳＢ（Universal Serial Bus）規格のインタフェースを有する機器やメモリ等とデータを送受信する。スマートフォン５０は、充電可能な２次電池５５０を有し、２次電池５５０から供給された電力をスマートフォン５０の各部において供給して動作する。
【００４７】
上述した構成を有する監視カメラシステム５の動作を説明する。
【００４８】
始めに、スマートフォン５０の動作、及び動作時の表示／操作部５０３による画面表示と操作入力について説明する。スマートフォン５０の待ち受け状態、又はホームセキュリティアプリケーション動作時、或いは他のアプリケーションの動作時に、センサ４０によって所定の検出条件に該当する状態が検出されると、スマートフォン５０の表示／操作部５０３に対象のセンサ検出情報が表示される。
【００４９】
図７は、スマートフォン５０の表示／操作部５０３に表示される検出情報画面の例を示す図である。検出情報画面には、所定の検出条件に該当する状態が検出された対象の場所、内容等を示す検出通知ＡＬが表示される。図示例の検出通知ＡＬは、リビング２（Ｌｉｖｉｎｇ  ２）にて所定の検出条件の状態（例えばドアの開閉など）が検出され、リビング２の様子をカメラ３０にて撮像していることを示している。
【００５０】
ユーザが検出通知ＡＬのアイコンをタップしてモニタ表示の指示操作を行うと、ホームセキュリティアプリケーションが起動し、センサ検出情報に対応する場所にあるカメラ３０が撮像した監視対象の画像を示すモニタ画面が表示／操作部５０３に表示される。
【００５１】
図８（Ａ）、（Ｂ）は、スマートフォン５０の表示／操作部５０３に表示されるホームセキュリティアプリケーションのモニタ画面の例を示す図である。検出情報画面の検出通知ＡＬのタップ操作など、ユーザがモニタ画面を表示する指示操作を行うと、最初は、図８（Ａ）に示す動画画像ＭＶによるモニタ画面が表示される。図８（Ａ）は、カメラ３０（Ｃａｍｅｒａ４）にて撮像した監視対象の画像を示した例である。この状態では、表示／操作部５０３のモニタ画面には、監視対象のリアルタイムの動画画像ＭＶとともに、静止画ＩＣ１，動画，音声，音楽などの機能を選択するアイコンが配置される。このとき、静止画ＩＣ１のアイコンが強調表示され、操作が可能となっている。
【００５２】
図８（Ａ）に示すモニタ画面において、ユーザが静止画ＩＣ１のアイコンをタップして指示操作を行うと、図８（Ｂ）に示す静止画画像ＳＶによるモニタ画面が表示される。すなわち、カメラ３０にて撮像された対象の画像が、動画から静止画に切り替わる。この状態では、表示／操作部５０３のモニタ画面には、監視対象の静止画画像ＳＶとともに、静止画，動画ＩＣ２，音声，音楽などの機能を選択するアイコンが配置される。このとき、動画ＩＣ２のアイコンが強調表示され、操作が可能となっている。
【００５３】
図８（Ｂ）に示すモニタ画面において、ユーザが動画ＩＣ２のアイコンをタップして指示操作を行うと、図８（Ａ）に示すリアルタイムの動画画像ＭＶによるモニタ画面が表示される。このように、静止画ＩＣ１／動画ＩＣ２のアイコンをタップ操作することによって、モニタ画面の表示モードを動画画像ＭＶと静止画画像ＳＶとに切り替えることができる。
【００５４】
上記のスマートフォン５０の動作に対する親機１０の動作を説明する。監視カメラシステム５において、センサ４０により所定の検出条件の状態が検出されると、親機１０は、センサ４０からのセンサ検出情報を受信し、スマートフォン５０に対してセンサ検出情報を送信して表示／操作部５０３に検出情報画面を表示させる。モニタ画面の表示動作を行う場合、親機１０は、スマートフォン５０からの指示を入力して受け付け、スマートフォン５０に対して表示／操作部５０３に表示するモニタ画面の表示画面情報を送信する。このとき、親機１０は、センサ検出情報を受信したセンサ４０に対応付けられたカメラ３０に対して映像／音声データ転送要求（画像転送要求）を送信し、カメラ３０から転送される映像データ及び音声データを受信する。そして、親機１０は、カメラ３０から取得した映像データ及び音声データをスマートフォン５０に転送する。また、親機１０は、スマートフォン５０から静止画のモニタ表示指示を受けた場合、カメラ３０から取得した映像データをもとに、静止画のモニタ画面の画像情報を作成し、スマートフォン５０に送信する。
【００５５】
次に、監視カメラシステム５の動作を流れについて説明する。図９は、監視カメラシステム５の動作手順の例を示すシーケンス図である。ここでは、人感センサ４０Ａによって対象が検出され、人感センサ４０Ａに対応付けられた屋内カメラ３０Ａによって監視対象を撮像し、親機１０によって屋内カメラ３０Ａから転送される映像データをスマートフォン５０に転送して表示／操作部５０３に表示する動作について説明する。
【００５６】
人感センサ４０Ａが、屋内に存在する人物を検出すると、その検出信号及びセンサ検出情報を親機１０に送信する（Ｓ１１）。親機１０は、人感センサ４０Ａからセンサ検出情報を受信すると、無線ＬＡＮを用いてスマートフォン５０と無線接続し（Ｓ１２）、接続が完了すると、スマートフォン５０にセンサ検出情報を送信する（Ｓ１３）。
【００５７】
また、親機１０は、屋内カメラ３０Ａに対し、映像／音声データ転送要求を送信する（Ｓ１４）。屋内カメラ３０Ａは、映像／音声データ転送要求を受けると、無線ＬＡＮを用いて親機１０と接続し、撮像部３１２で撮像した動画の映像データ及びマイク３２８で収音した音声データを親機１０に転送する（Ｓ１５）。
【００５８】
スマートフォン５０は、親機１０からセンサ検出情報を受信すると、センサ検出情報に対応する検出内容を示す検出情報画面を表示／操作部５０３に表示する（Ｓ１６）。この状態で、スマートフォン５０の表示／操作部５０３へのタッチ操作などによって、スマートフォン５０がユーザからモニタ表示指示の操作入力を受けると（Ｓ１７）、スマートフォン５０は、親機１０に対して映像／音声データ転送要求を送信する（Ｓ１８）。
【００５９】
親機１０は、スマートフォン５０からの映像／音声データ転送要求を受けると、屋内カメラ３０Ａより取得した映像データ及び音声データをスマートフォン５０に転送する（Ｓ１９）。スマートフォン５０は、親機１０から転送された映像データ及び音声データを受信し、表示／操作部５０３に動画画像ＭＶによるモニタ画面を表示する（Ｓ２０）。
【００６０】
表示／操作部５０３に動画画像ＭＶによるモニタ画面を表示している状態で、ユーザによりモニタ画面がタップ操作され、静止画への表示切替指示の操作入力を受けると（Ｓ２１）、スマートフォン５０は、親機１０に対して静止画の画像データ転送要求を送信する（Ｓ２２）。親機１０は、スマートフォン５０からの静止画の画像データ転送要求を受けると、屋内カメラ３０Ａより取得した映像データを用いて、静止画のモニタ画面の画像情報を作成する（Ｓ２３）。そして、親機１０は、静止画のモニタ画面の画像データをスマートフォン５０に送信する（Ｓ２４）。スマートフォン５０は、親機１０から転送された画像データを受信し、表示／操作部５０３に静止画画像ＳＶによるモニタ画面を表示する（Ｓ２５）。
【００６１】
表示／操作部５０３に静止画画像ＳＶによるモニタ画面を表示している状態で、ユーザによりモニタ画面がタップ操作され、動画への表示切替指示の操作入力を受けると（Ｓ２６）、スマートフォン５０は、親機１０に対して動画の映像／音声データ転送要求を送信する（Ｓ１８ａ）。親機１０は、スマートフォン５０からの動画の映像／音声データ転送要求を受けると、屋内カメラ３０Ａより取得した映像データ及び音声データをスマートフォン５０に転送する（Ｓ１９ａ）。スマートフォン５０は、親機１０から転送された映像データ及び音声データを受信し、表示／操作部５０３に動画画像ＭＶによるモニタ画面を表示する（Ｓ２０ａ）。
【００６２】
以上のように、本実施形態の監視カメラシステム５は、センサ４０と、撮像部３１２を有し、通話機能を備えたカメラ３０と、カメラ３０と通信可能であり、固定電話網８５に接続されて他固定電話機８０と通話可能な親機１０と、表示／操作部５０３を有し、親機１０との間で無線ルータ６０を用いて無線通信可能であり、携帯電話網７５を介して他携帯電話機７０と接続するスマートフォン５０と、を備える。
【００６３】
本実施形態の監視カメラシステム５では、既存の固定電話の通信機能を用いることにより、安価に使い勝手のよい監視システムを実現できる。
【００６４】
また、本実施形態の監視カメラシステム５では、親機１０は、センサ４０からセンサ検出情報を受けると、スマートフォン５０にセンサ検出情報を転送し、センサ４０と対応付けられたカメラ３０に画像転送要求を送信し、カメラ３０は、親機１０からの画像転送要求に対して撮像部３１２で得た動画の映像データを親機１０に送信し、親機１０は、最初にカメラ３０からの動画の映像データをスマートフォン５０に送信し、スマートフォン５０は、親機１０から送信された動画のモニタ画面を表示／操作部５０３に表示する。
【００６５】
このように、スマートフォン５０にカメラ３０で撮像した監視対象のモニタ画面を表示する場合は、最初に動画を表示することにより、対象の領域において正確なセキュリティ状況を把握することができる。
【００６６】
また、本実施形態の監視カメラシステム５では、親機１０は、動画のモニタ画面をスマートフォン５０の表示／操作部５０３に表示させている状態で、スマートフォン５０から静止画への表示切替指示を受けると、動画の映像データから静止画の画像データを生成し、スマートフォン５０に送信し、スマートフォン５０は、親機１０から送信された静止画のモニタ画面を表示／操作部５０３に表示する。
【００６７】
また、本実施形態の監視カメラシステム５では、親機１０は、静止画のモニタ画面をスマートフォン５０の表示／操作部５０３に表示させている状態で、スマートフォン５０から動画への表示切替指示を受けると、動画の映像データをスマートフォン５０に送信する。
【００６８】
このように、スマートフォン５０の指示操作によって動画と静止画とを任意に切り替え可能とすることによって、簡単な操作で動画から静止画に変更できるので、詳細に監視対象の画像を検討したい場合にも容易に対応することができる。また、静止画から動画へも簡単な操作で復帰し、現在の状況を確認できる。
【００６９】
以上、図面を参照しながら各種の実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。また、本発明の趣旨を逸脱しない範囲において、上記実施形態における各構成要素を任意に組み合わせてもよい。
【産業上の利用可能性】
【００７０】
本発明は、携帯端末がカメラから転送された画像データを表示し、固定電話網に接続されて他の固定電話機と接続する既存の固定電話機を用いて、携帯電話端末とカメラとのデータの入出力を、ユーザの利便性を損なうことなく安価に実現する監視システム及び監視システムにおける監視方法として有用である。
【符号の説明】
【００７１】
５  監視カメラシステム
８  宅内
１０  親機
１０ａ  差込口
２０、２０Ａ、２０Ｂ  （コードレス）子機
３０、３０Ａ、３０Ｂ  カメラ
４０  センサ
４０Ａ、４０Ｂ  人感センサ
４０Ｃ  煙センサ
５０  スマートフォン
６０  無線ルータ
６５  インターネット
７０  携帯電話機
７５  携帯電話網
８０  固定電話機
８５  固定電話網
１０１  固定電話回線Ｉ／Ｆ部
１０３、２４２、３０３、４４２、５０４  記憶部
１０４、２４３、３０４、５０５  音声入出力制御部
１０５、２４４、３０５  操作部
１０６、２４５  表示部
１０７、２４８、４４８  ＤＥＣＴ無線Ｉ／Ｆ部
１０８、２４９、４４９  ＤＥＣＴプロトコル制御部
１０９、２４７、３０９、４４７、５０６  制御部
１１０  呼制御部
１１２  音声ストリーム処理部
１１５  画像メモリ制御部
１１６  画像メモリ
１１７、２５５、３０７、５１５  音声バス
１２１、３２１、５０７  無線ＬＡＮ制御部
１２２、３２２、５０８  無線ＬＡＮ通信Ｉ／Ｆ部
１２６  子機／携帯端末充電部
１２７  ＵＳＢ通信Ｉ／Ｆ部
１２８、２５１、３２８、５１２  マイク
１２９、２５２、３２９、５１３  スピーカ
２５０、５５０  ２次電池
３１２  撮像部
３１３  赤外線センサ
３１５  画像メモリ
３１６  画像メモリ制御部
４４５  表示ランプ
４５０  充電池
４５３  センサ部
５０１  ３Ｇ無線Ｉ／Ｆ部
５０２  ３Ｇプロトコル制御部
５０３  表示／操作部
５１１  ＵＳＢ通信Ｉ／Ｆ部
５１４  監視機能制御部
【要約】
【課題】固定電話網に接続されて他の固定電話機と通話可能な既存の固定電話機を用いて、携帯電話端末とカメラとのデータの入出力を、ユーザの利便性を損なうことなく安価に実現する。
【解決手段】監視システムにおいて、親機１０は、センサ（人感センサ４０Ａ）からセンサ検出情報を受けると、スマートフォン５０にセンサ検出情報を転送し、センサと対応付けられたカメラ（屋内カメラ３０Ａ）に画像転送要求を送信し、カメラは、親機１０からの画像転送要求に対して撮像部で得た動画の映像データを親機１０に送信し、親機１０は、最初にカメラからの動画の映像データをスマートフォン５０に送信し、スマートフォン５０は、親機１０から送信された動画のモニタ画面を表示入力部に表示する。
【選択図】図９【図１】
0005866550.tif 000002
【図２】
0005866550.tif 000003
【図３】
0005866550.tif 000004
【図４】
0005866550.tif 000005
【図５】
0005866550.tif 000006
【図６】
0005866550.tif 000007
【図７】
0005866550.tif 000008
【図８】
0005866550.tif 000009
【図９】
0005866550.tif 000010